(57)【要約】【課題】床用吸込み具の回転子に巻き付いたゴミを分断可能とし、使用者が手入れをすることなく床面からの集塵性能を維持することができる電気掃除機を提供することを目的とする。【解決手段】床用吸込み具１３の内部に配置された回転子１６に巻き付いたゴミ１９を分断する分断装置２０を設けたものである。これにより、回転子１６に巻き付いたゴミ１９分断し取り除くことが可能となり、使用者が手入れをすることなく床面からの集塵性能を維持することができ、使い勝手を向上させることができる。【選択図】図１
2007061347.tif 000002
【特許請求の範囲】
【請求項１】
床用吸込み具と、前記床用吸込み具と接続される電気掃除機本体と、前記床用吸込み具に設けられた吸込み室と、前記吸込み室下部に設けられた吸込み口と、前記吸込み室内に配置された回転子と、前記回転子の周表面に配置された塵埃除去体と、前記吸込み室内に配置された分断装置とを備え、前記分断装置は前記回転子に巻き付いたゴミを分断する構成とした電気掃除機。
【請求項２】
分断装置は、ゴミを切る刃物構成とした請求項１に記載の電気掃除機。
【請求項３】
分断装置は、ゴミを固定する固定装置を有し刃物でゴミを切り易くした請求項２に記載の電気掃除機。
【請求項４】
固定装置は、ゴミを押えるように動作する塵埃除去体にて構成した請求項３に記載の電気掃除機。
【請求項５】
分断装置は、ゴミを加熱し焼き切る加熱装置によって構成した請求項１に記載の電気掃除機。
【請求項６】
加熱装置は、ゴミを局所的に加熱する構成とした請求項５に記載の電気掃除機。
【請求項７】
加熱装置は、塵埃除去体が発熱する構成とした請求項５または６に記載の電気掃除機。
【請求項８】
回転子に分断装置を出し入れ可能に収納する収納部を設けた請求項１〜７のいずれか１項に記載の電気掃除機。
【請求項９】
分断装置は、床に触れない位置で動作する構成とした請求項１〜８のいずれか１項に記載の電気掃除機。
【請求項１０】
塵埃除去体に回転子に巻き付いたゴミを検知する検知部を有し、分断装置は前記検知部がゴミの巻き付きを検知した時点で動作する構成とした請求項１〜９のいずれか１項に記載の電気掃除機。
【発明の詳細な説明】
【技術分野】
【０００１】
本発明は、床用吸込み具を有する吸引型の電気掃除機に関するものである。
【背景技術】
【０００２】
従来、この種の電気掃除機としては、塵埃除去体についたゴミを取り除くため、櫛を有しているものがあった（例えば、特許文献１参照）。
【０００３】
図１０は前記特許文献１に記載された従来の電気掃除機の床用吸込み具の構成を示す断面図である。図１０において、床用吸込み具１の内部に回転子２が取り付けられている。回転子２は塵埃除去体３を有している。また、塵埃除去体３についたゴミを取り除くための櫛４が配置されている。
【特許文献１】特開平６−８６７４３号公報
【発明の開示】
【発明が解決しようとする課題】
【０００４】
しかしながら、前記従来の構成では、塵埃除去体３についたゴミを櫛４に引っかけて力を加えることでゴミを取り除く構成であったため、回転子２に長いゴミが巻き付いた場合にゴミが櫛４に引っかかりにくくゴミを取り除くことができないという課題を有していた。
【０００５】
また、回転子２に巻き付いたゴミを櫛４に引っかけることができても、ゴミを取り除くにはゴミの巻き付きを解く必要があった。
【０００６】
本発明は、前記従来の課題を解決するもので、回転子に巻き付いたゴミを取り除くことができる電気掃除機を提供することを目的とする。
【課題を解決するための手段】
【０００７】
前記従来の課題を解決するために、本発明の電気掃除機は、床用吸込み具の吸込み室内に配置された回転子に巻き付いたゴミを分断する分断装置を前記吸込み室内設けたものである。この分断装置により、回転子に巻き付いたゴミを分断し塵埃除去体についたゴミを取り除くことを可能としたものである。
【発明の効果】
【０００８】
本発明の電気掃除機は、回転子に巻き付いたゴミを分断する分断装置を設けることにより、従来取り除くことが難しかった回転子に巻き付いたゴミを容易に取り除くことができ、使用者が手入れをせずに床面からの集塵性能を維持することができる。
【発明を実施するための最良の形態】
【０００９】
第１の発明は、床用吸込み具と、前記床用吸込み具と接続される電気掃除機本体と、前記床用吸込み具に設けられた吸込み室と、前記吸込み室下部に設けられた吸込み口と、前記吸込み室内に配置された回転子と、前記回転子の周表面に配置された塵埃除去体と、前記吸込み室内に配置された分断装置とを備え、前記分断装置は前記回転子に巻き付いたゴミを分断する構成とした電気掃除機とすることにより、回転子に巻き付いたゴミを取り除くことができ、使用者が手入れをせずに床面からの集塵性能を維持することができる。
【００１０】
第２の発明は、特に、第１の発明の分断装置は、ゴミを切る刃物構成としたとすることにより、刃物を入れるだけの簡単な構成で確実にゴミを分断できるようになり、従来の床用吸込み具の構成をほぼ変えることなく、床面からの集塵性能を維持することができる。
【００１１】
第３の発明は、特に、第２の発明の分断装置は、ゴミを固定する固定装置を有し刃物でゴミを切り易くしたことにより、ゴミを確実に分断できるようになり、床面からの集塵性能をより確実に維持することができる。
【００１２】
第４の発明は、特に、第３の発明の固定装置は、ゴミを押えるように動作する塵埃除去体にて構成することにより、回転子に巻き付くと同時に塵埃除去体に絡まったゴミをより容易に固定することができ、床面からの集塵性能を維持しやすくなる。
【００１３】
第５の発明は、特に、第１の発明の分断装置は、ゴミを加熱し焼き切る加熱装置によって構成することにより、分断装置の動作と停止を容易に切り替えることが可能となり、ゴミが巻き付いたときのみ動作させることで、床面からの集塵性能を効率的に維持することができる。
【００１４】
第６の発明は、特に、第５の発明の加熱装置は、ゴミを局所的に加熱する構成とすることにより、ゴミ全体を加熱しないので加熱装置を小さくでき、かつ少ない熱でゴミを分断することができ、床面からの集塵性能を効率的に維持することができる。
【００１５】
第７の発明は、特に、第５または第６の発明の加熱装置を、塵埃除去体が発熱する構成とすることにより、回転子に巻き付いたゴミの塵埃除去体に絡みついた個所のみ局所的に分断することが可能となるため、床面からの集塵性能をより確実に維持することができる。
【００１６】
第８の発明は、特に、第１〜第７の発明のいずれか１つの発明の回転子に分断装置を出し入れ可能に収納する収納部を設けた構成にすることにより、分断装置の停止時に分断装置が塵埃除去体や床面から掻き揚げられたゴミに触れて集塵を妨げることがなくなり、通常の清掃時に床面からの集塵性能が落ちることがなくなる。
【００１７】
第９の発明は、特に、第１〜第８の発明のいずれか１つの発明の分断装置を、床に触れない位置で動作する構成とすることにより、分断装置がゴミを分断する際に床面を傷つける可能性がなくなる。
【００１８】
第１０の発明は、特に、第１〜第９の発明のいずれか１つの発明の塵埃除去体に、回転子に巻き付いたゴミを検知する検知部を有し、分断装置は前記検知部がゴミの巻き付きを検知した時点で動作する構成とすることにより、使用者が意図することなく必要な場合にだけ分断装置を動作させることができ、床面からの集塵性能を効率的に維持することができる。
【００１９】
以下、本発明の実施の形態について、図面を参照しながら説明する。なお、本実施の形態によって本発明が限定されるものではない。
【００２０】
（実施の形態１）
図１は、本発明の実施の形態１における電気掃除機の全体構成図を示すものである。
【００２１】
図１において、電気掃除機本体１０は可撓性ホース１１と延長管１２を通じ床用吸込み具１３に接続されている。床用吸込み具１３には吸込み室１４が設けられており、吸込み室１４の下部には吸込み口１５が設けられている。吸込み室１４内には回転子１６が配置され、回転子１６の周表面には吸込み口１５を通じ床１７に触れる塵埃除去体１８が設けられている。また、回転子１６に巻き付いたゴミ１９を分断する分断装置２０が配置されている。
【００２２】
図２は、本発明の第１の実施の形態における電気掃除機の床用吸込み具１３の断面図を示すものである。
【００２３】
図２において、床用吸込み具１３には、回転子１６が配置されており、回転子１６にはゴミ１９が巻き付いている。また、分断装置２０は刃物２１と固定装置２２から構成されている。刃物２１は床用吸込み具１３本体に配置され、上下に可動な構成となっている。
【００２４】
固定装置２２は床用吸込み具１３の本体と回転子１６とに配置され、それぞれが上下に可動な構成となっている。
【００２５】
以上のように構成された電気掃除機について、以下その動作、作用を説明する。
【００２６】
まず、電気掃除機を起動すると、床用吸込み具１３から延長管１２と可撓性ホース１１を通じ掃除機本体１０へと空気が流される。床用吸込み具１３内部では回転子１６が回転し、塵埃除去体１８を次々に床１７に当てて床１７上からゴミ１９を掻き揚げる。掻き揚げられたゴミ１９は空気と共に掃除機本体１０へと搬送される。掻き揚げられたゴミ１９の一部は塵埃除去体１８に絡みつき掃除機本体１０へと搬送されずに残り、ゴミ１９が長い場合には、回転子１６の回転により回転子１６に巻き付いてしまう。
【００２７】
回転子１６にゴミ１９が巻き付いた場合に分断装置２０が動作される。分断装置２０では、まず固定装置２２が動作する。床用吸込み具１３の本体と回転子１６に配置された固定装置２２が間隔を狭めるように動き、回転子１６に巻き付いたゴミ１９を挟み込み固定する。次に刃物２１が下方向に動き、やがて刃物２１は回転子１６に巻き付いたゴミ１９を切断する。その際、回転子１６に巻き付いたゴミ１９は固定装置２２により固定されているため、刃物２１に押されて下方に逃げたりすることなく確実に切断される。切断されたゴミ１９は容易に取り除くことができるため、空気の流れによって塵埃除去体１８から取り除かれ掃除機本体１０へと搬送される。
【００２８】
なお、本実施の形態において刃物２１は上下に可動な構成となっているが、左右にも可動な構成としゴミ１９に接触させた状態で左右に動かしゴミ１９を分断する構成としても構わない。
【００２９】
なお、本実施の形態において刃物２１は床用吸込み具１３の本体に配置されているが、回転子１６に配置しても構わない。
【００３０】
なお、本実施の形態において固定装置２２は床用吸込み具１３の本体と回転子１６に配置しそれぞれが動作しているが、一方のみが動作する構成としても構わない。
【００３１】
なお、本実施の形態において固定装置２２は床用吸込み具１３の本体と回転子１６に配置されているが、図３に示した床用吸込み具１３の他の構成例の断面図のように、床用吸込み具１３の本体と回転子１６のうち刃物２１が配置されていない側のみに固定装置２２を配置し、裁断機のように固定装置２２は動作させずにゴミ１９を分断する構成としても構わない。
【００３２】
なお、本実施の形態において分断装置２０はゴミ１９を固定するために固定装置２２を有しているが、図４に示した床用吸込み具１３の他の構成例の断面図のように、刃物２１を床用吸込み具１３の本体と回転子１６の両方にそれぞれ１つ配置し、ハサミのように刃物２１でゴミ１９を挟み込み固定しつつゴミ１９を分断する構成としても構わない。
【００３３】
なお、本実施の形態において固定装置２２は他の構成とは別に配置されていたが、図５（ａ）に示した固定装置２２の他の構成例の斜視図と、図５（ｂ）に示した同、固定装置２２の固定時状態を示す斜視図のように、固定装置２２を塵埃除去体１８と一体とすることで塵埃除去体１８の毛足の間隔を狭めゴミ１９を挟んで固定する構成としても構わない。
【００３４】
（実施の形態２）
図６は、本発明の第２の実施の形態における電気掃除機の床用吸込み具１３の断面図を示すものである。
【００３５】
なお床用吸込み具１３以外の構成は第１の実施の形態と同様であるので、その詳細な説明を省略するものである。
【００３６】
図６において、床用吸込み具１３には回転子１６が配置されており、回転子１６にはゴミ１９が巻き付いている。また、分断装置２０は加熱装置２５から構成されている。加熱装置２５は先端部２６のみが発熱する構成となっている。
【００３７】
以上のように構成された電気掃除機について、以下その動作、作用を説明する。
【００３８】
まず、電気掃除機を起動すると、床１７上からゴミ１９を掻き揚げる。掻き揚げられたゴミ１９の一部は回転子１６に巻き付いてしまう。
【００３９】
回転子１６にゴミ１９が巻き付いた場合に分断装置２０が動作される。分断装置２０では、加熱装置２５が動作し、半田ごてのように先端部２６のみが発熱する。回転子１６に巻き付いたゴミ１９は先端部２６に触れた部分のみ局所的に焼き切られる。焼ききられたゴミ１９は容易に取り除くことができるため、空気の流れによって塵埃除去体１８から取り除かれ掃除機本体１０へと搬送される。
【００４０】
なお、本実施の形態では加熱装置２５を半田ごてのように発熱しない土台部分と発熱する先端部２６から構成したが、図７に示した、床用吸込み具１３の他の構成例の斜視図のように、加熱装置２５をワイヤーで構成し、ヒートカッターのようにしてゴミ１９を焼き切る構成としてもても構わない。
【００４１】
なお、本実施の形態では加熱装置２５は移動しない構成となっているが、上下に動作させ回転子１６が回転する際に加熱装置２５が塵埃除去体１８に触れない構成としても構わない。
【００４２】
なお、本実施の形態では加熱装置２５を床用吸込み具１３の本体に配置したが、回転子１６に配置する構成としても構わない。
【００４３】
なお、本実施の形態において加熱装置２５は他の構成とは別に配置されていたが、塵埃除去体１８と一体とし塵埃除去体１８が発熱する構成としても構わない。
【００４４】
（実施の形態３）
図８は、本発明の第３の実施の形態における電気掃除機の床用吸込み具１３の断面図を示すものである。図９は、本発明の第３の実施の形態における電気掃除機の塵埃除去体の要部断面図を示す物である。
【００４５】
なお、床用吸込み具１３以外の構成は第１の実施の形態と同様であるので、その詳細な説明を省略するものである。
【００４６】
図８において、床用吸込み具１３には回転子１６が配置されており、回転子１６にはゴミ１９が巻き付いている。また、分断装置２０は加熱装置２５から構成されている。加熱装置２５は回転子１６に配置されており、回転子１６には加熱装置２５を収納する収納部２７が設けられている。
【００４７】
図９において、塵埃除去体１８の根元には回転子１６に巻き付いたゴミ１９を検知する検知部２８が配置されている。
【００４８】
以上のように構成された電気掃除機について、以下その動作、作用を説明する。
【００４９】
まず、電気掃除機を起動すると、床１７上からゴミ１９を掻き揚げる。掻き揚げられたゴミ１９の一部は回転子１６に巻き付いてしまう。
【００５０】
回転子１６にゴミ１９が巻き付いた場合に、検知部２８によってゴミ１９が巻き付いたことが検知される。検知部２８は塵埃除去体１８が床面１７に触れて曲がる際に根元にかかる力を検知している。回転子１６にゴミ１９が巻き付いた場合に、塵埃除去体１８は床面１７に触れていない場合にも常に曲がり、塵埃除去体１８の根元には常時力がかかり続けることになる。この常時力がかかり続けた場合に、検知部２８は回転子１６にゴミ１９が巻き付いたと判断し、分断装置２０を動作させる。
【００５１】
分断装置２０は、収納部２７に収納された状態から表面に現れ、ゴミ１９を分断できる位置まで移動し、ゴミ１９を分断した後に再び収納部２７へと収納される。ゴミ１９が分断されたか否かは検知部２８によって検知される。また、分断装置２０は床面に触れない位置で収納部２７から表面に現れるよう動作する。回転子１６が回転する際は、床面に触れる位置まで移動する前に収納部２７へと収納され、床面に触れない位置に戻ると再度収納部２７から表面に現れゴミ１９を分断する。
【００５２】
分断されたゴミ１９は容易に取り除くことができるため、空気の流れによって塵埃除去体１８から取り除かれ掃除機本体１０へと搬送される。
【００５３】
なお、本実施の形態において分断装置２０と収納部２７は回転子１６に配置したが、床用吸込み具１３の本体に配置する構成としても構わない。
【００５４】
上記した各実施の形態１〜３における構成は、必要に応じて適宜組み合わせて使用することができるものであり、実施の形態そのものの構成に限られるものではない。
【産業上の利用可能性】
【００５５】
以上のように、本発明にかかる電気掃除機は、床用吸込み具内の回転子に巻き付いたゴミを分断することが可能となるため、長いものが巻き付く可能性がありそれを取り除く必要のある回転子を有する床用吸込み具を用いた家庭用または業務用の電気掃除機に適用できる。
【図面の簡単な説明】
【００５６】
【図１】本発明の実施の形態１における電気掃除機の全体構成図
【図２】同、電気掃除機の床用吸込み具の断面図
【図３】同、床用吸込み具の他の構成例の断面図
【図４】同、床用吸込み具の他の構成例の断面図
【図５】（ａ）同、床用吸込み具の固定装置の他の構成例の斜視図（ｂ）同、固定装置の固定時状態を示す斜視図
【図６】本発明の実施の形態２における床用吸込み具の断面図
【図７】同、床用吸込み具の他の構成例の斜視図
【図８】本発明の実施の形態３における床用吸込み具の断面図
【図９】同、床用吸込み具の塵埃除去体の要部断面図
【図１０】従来の電気掃除機の床用吸い込み具の構成を示す断面図
【符号の説明】
【００５７】
１０  掃除機本体
１３  床用吸込み具
１４  吸込み室
１５  吸込み口
１６  回転子
１８  塵埃除去体
１９  ゴミ
２０  分断装置
２１  刃物
２２  固定装置
２５  加熱装置
２７  収納部
２８  検知部
【図１】
2007061347.tif 000003
【図２】
2007061347.tif 000004
【図３】
2007061347.tif 000005
【図４】
2007061347.tif 000006
【図５】
2007061347.tif 000007
【図６】
2007061347.tif 000008
【図７】
2007061347.tif 000009
【図８】
2007061347.tif 000010
【図９】
2007061347.tif 000011
【図１０】
2007061347.tif 000012